(57)【要約】【課題】操作が簡単で、ユーザに混乱を招くことなく、放送受信アプリケーションを含むマルチタスク処理が可能なマルチタスク処理方法およびマルチタスク処理装置を提供する。【解決手段】予約された放送番組の受信開始にあたって、放送番組を受信する放送受信アプリケーション以外の他のアプリケーションが実行中か否かを判定し、他のアプリケーションが実行中と判定された場合には、放送受信アプリケーションにおける表示出力または音声出力のいずれか一方を制限して、当該放送受信アプリケーションの実行を開始する。【選択図】図７
2007202010.tif 000002
【特許請求の範囲】
【請求項１】
予約された放送番組の受信開始にあたって、上記放送番組を受信する放送受信アプリケーション以外の他のアプリケーションが実行中か否かを判定し、前記他のアプリケーションが実行中と判定された場合には、前記放送受信アプリケーションにおける表示出力または音声出力のいずれか一方を制限して、当該放送受信アプリケーションの実行を開始することを特徴とする放送受信アプリケーションを含むマルチタスク処理方法。
【請求項２】
前記他のアプリケーションは、表示出力または音声出力のいずれか一方が主出力で、他方が従出力であり、前記放送受信アプリケーションの実行開始にあたっては、前記従出力を制限して実行し、
前記放送受信アプリケーションは、前記他のアプリケーションの主出力に対応する出力を制限して実行することを特徴とする請求項１に記載の放送受信アプリケーションを含むマルチタスク処理方法。
【請求項３】
前記他のアプリケーションは、表示出力を主出力とする電子メール機能を実行する電子メールアプリケーション、ウェブ閲覧機能を実行するウェブアプリケーション、またはゲーム機能を実行するゲームアプリケーションのいずれか一つであることを特徴とする請求項２に記載の放送受信アプリケーションを含むマルチタスク処理方法。
【請求項４】
前記他のアプリケーションは、音声出力を主出力とする音楽再生機能を実行する音楽再生アプリケーションまたは通話機能を実行する通話アプリケーションのいずれか一つであることを特徴とする請求項２に記載の放送受信アプリケーションを含むマルチタスク処理方法。
【請求項５】
前記他のアプリケーションは、通話機能を実行する通話アプリケーションであり、前記放送受信アプリケーションの実行開始にあたっては、前記通話アプリケーションを、その従出力である表示出力を制限するとともに、通話モードを通常通話モードからハンズフリー通話モードに切り替えて実行し、
前記放送受信アプリケーションは、テレビジョン放送受信アプリケーションで、その音声出力を制限して実行することを特徴とする請求項２に記載の放送受信アプリケーションを含むマルチタスク処理方法。
【請求項６】
前記予約された放送番組の受信開始を報知するとともに、前記放送受信アプリケーションの実行に先立って、前記制限する表示出力または音声出力を選択することを特徴とする請求項１乃至５のいずれか一項に記載の放送受信アプリケーションを含むマルチタスク処理方法。
【請求項７】
放送番組を受信する放送受信アプリケーションと、前記放送受信アプリケーションとは異なる他のアプリケーションとを同時に実行するマルチタスク処理装置において、
前記放送受信アプリケーションによる放送番組の受信開始を予約する予約手段と、
前記予約手段による前記放送番組の受信開始時に前記他のアプリケーションが実行中か否かを判別する判別手段と、
前記判別手段による判別結果に基づいて、前記他のアプリケーションが実行中にあるときは、前記放送受信アプリケーションにおける表示出力または音声出力のいずれか一方を制限するように、当該放送受信アプリケーションの実行を制御する制御手段とを有することを特徴とするマルチタスク処理装置。
【請求項８】
前記他のアプリケーションは、表示出力または音声出力のいずれか一方を主出力、他方を従出力とする出力情報を有し、
前記制御手段は、前記他のアプリケーションの前記出力情報に基づいて、前記従出力を制限するように当該他のアプリケーションの実行を制御するとともに、前記他のアプリケーションの前記主出力に対応する出力を制限するように前記放送受信アプリケーションの実行を制御することを特徴とする請求項７に記載のマルチタスク処理装置。
【請求項９】
前記他のアプリケーションは、表示出力を主出力とする電子メール機能を実行する電子メールアプリケーション、ウェブ閲覧機能を実行するウェブアプリケーション、またはゲーム機能を実行するゲームアプリケーションのいずれか一つであることを特徴とする請求項８に記載のマルチタスク処理装置。
【請求項１０】
前記他のアプリケーションは、音声出力を主出力とする音楽再生機能を実行する音楽再生アプリケーションまたは通話機能を実行する通話アプリケーションのいずれか一つであることを特徴とする請求項８に記載のマルチタスク処理装置。
【請求項１１】
前記放送受信アプリケーションは、テレビジョン放送受信アプリケーションであり、
前記他のアプリケーションは、通話機能を実行する通話アプリケーションであり、
前記制御手段は、前記判別手段による判別結果に基づいて、前記通話アプリケーションが実行中にあるときは、前記通話アプリケーションを、その従出力である表示出力を制限するとともに、通話モードを通常通話モードからハンズフリー通話モードに切り替えるように実行を制御し、前記放送受信アプリケーションは、その音声出力を制限するように実行を制御することを特徴とする請求項８に記載のマルチタスク処理装置。
【請求項１２】
さらに、前記予約された放送番組の受信開始を報知する報知手段と、前記放送受信アプリケーションの前記制限する表示出力または音声出力を選択する選択手段とを有することを特徴とする請求項７乃至１１のいずれか一項に記載のマルチタスク処理装置。
【発明の詳細な説明】
【技術分野】
【０００１】
本発明は、放送受信アプリケーションを含むマルチタスク処理方法およびマルチタスク処理装置に関するものである。
【背景技術】
【０００２】
例えば、携帯電話等の移動体通信端末として、近年、通話機能を実行するアプリケーション（以下、単にアプリとも言う）以外にも、電子メール機能、ウェブ閲覧機能、ゲーム機能、撮影機能等の各種の機能を実行する複数のアプリを搭載したものが広く普及している。
【０００３】
さらに、最近では、上記のアプリの他にも、ＦＭやＡＭのラジオ放送受信機能を実行するラジオアプリや、地上アナログや地上デジタルのテレビジョン（ＴＶ）放送受信機能を実行するＴＶアプリを搭載した移動体通信端末も普及している。このような放送受信機能である放送アプリを搭載した移動体通信端末では、例えば電子メールアプリにより電子メールを作成しながら放送アプリを実行してラジオやＴＶの音声を聴取する、いわゆる「ながら聴取」を行うマルチタスク処理が可能となっている。
【０００４】
また、ＴＶ受信機能付き移動体通信端末として、所望のＴＶ番組の見逃しを防止するために、ＴＶ番組を予約可能とし、予約時間に達したらＴＶのスイッチを自動的にＯＮにして視聴可能にしたものも知られている（例えば、特許文献１参照）。
【０００５】
この特許文献１に開示の技術を利用すれば、例えば、図１１に示すフローチャートに従って、予約番組を視聴することが考えられる。すなわち、先ず、予約時間に達した時点で、端末がＴＶアプリを実行中か否か、すなわち放送を視聴中か否かを判定し（ステップＳ４１）、視聴中でなければ、ユーザに予約開始時刻である旨を通知する（ステップＳ４２）。
【０００６】
この予約開始の通知方法は、端末が通話アプリを実行中の場合は、例えば受話器に対して通話の妨げにならない程度の電子音を発生させたり、バイブレータを動作させたりして通知し、その他の場合、例えば電子メールアプリやウェブアプリを実行中の場合は、図１２に示すように、端末の画面１００に視聴予約開始の通知メッセージ１０１とソフトキー１０２とを表示し、ソフトキー１０２に対応する操作キーの操作によって元の画面に戻るようにする。
【０００７】
次に、待ち受け中であるか否かを判定し（ステップＳ４３）、待ち受け中すなわち何らのアプリも実行していなければ、ＴＶの電源をＯＮしてＴＶアプリを実行させ（ステップＳ４４）、さらに予約されている指定のチャンネルを受信するように同調設定して（ステップＳ４５）、受信した映像を表示部１００に表示し、音声はスピーカから出力して、予約した所望の番組を視聴可能にする。その後は、予約の終了時刻すなわち予約によりＴＶの電源をＯＦＦにする時刻、またはその時刻よりも先に次の予約がある場合はその開始時刻を次のイベントの発生時刻と設定する（ステップＳ４６）。
【０００８】
一方、ステップＳ４１で放送視聴中である、すなわちＴＶアプリが実行中と判定された場合には、ＴＶの電源は既にＯＮとなっているので、ステップＳ４５に移行して受信チャンネルを予約されている指定のチャンネルに設定する。
【０００９】
また、ステップＳ４３において、待ち受け中でない、すなわちＴＶアプリ以外のアプリを既に実行中にあるときは、実行中のアプリを継続させるべく、ＴＶアプリを実行させることなく、次の予約開始時刻を設定する（ステップＳ４７）。
【００１０】
【特許文献１】特開２００３−１８８９５２号公報
【発明の開示】
【発明が解決しようとする課題】
【００１１】
ところで、図１１に示したフローチャートでは、ステップＳ４３で待ち受け中でないと判定された場合には、ＴＶアプリを実行させないようにしている。このため、ＴＶアプリを実行して「ながら聴取」を行うには、例えば図１２に示した視聴予約報知画面から、既に使用中のアプリを一旦中止して、ＴＶアプリを起動した後、ながら聴取の状態に遷移する必要があり、操作が煩雑になることが懸念される。
【００１２】
また、予約開始時刻になったときに、ユーザが使用しているアプリが、「ながら聴取」が不可能であり、それをユーザが認識していなかった場合には、ＴＶアプリを起動して「ながら聴取」の状態にしてしまうと、ユーザはその時点で元のアプリが使えないことを認識することになり、元の機能を使いたいときは、「ながら聴取」を停止してから、再度、元のアプリを起動しなければならなくなる。このため、操作がさらに煩雑化し、ユーザに混乱を招くことが懸念される。
【００１３】
このような懸念事項は、ＴＶアプリに限らず、ラジオアプリを含むマルチタスク処理の場合にも同様に生じるものであり、また、移動体通信端末のようなマルチタスク処理装置に限らず、据え置き型のマルチタスク処理装置においても同様に生じるものである。
【００１４】
したがって、かかる事情に鑑みてなされた本発明の目的は、操作が簡単で、ユーザに混乱を招くことなく、放送受信アプリケーションを含むマルチタスク処理が可能なマルチタスク処理方法およびマルチタスク処理装置を提供することにある。
【課題を解決するための手段】
【００１５】
上記目的を達成する請求項１に係る放送受信アプリケーションを含むマルチタスク処理方法の発明は、予約された放送番組の受信開始にあたって、上記放送番組を受信する放送受信アプリケーション以外の他のアプリケーションが実行中か否かを判定し、前記他のアプリケーションが実行中と判定された場合には、前記放送受信アプリケーションにおける表示出力または音声出力のいずれか一方を制限して、当該放送受信アプリケーションの実行を開始することを特徴とするものである。
【００１６】
請求項２に係る発明は、請求項１に記載の放送受信アプリケーションを含むマルチタスク処理方法において、前記他のアプリケーションは、表示出力または音声出力のいずれか一方が主出力で、他方が従出力であり、前記放送受信アプリケーションの実行開始にあたっては、前記従出力を制限して実行し、
前記放送受信アプリケーションは、前記他のアプリケーションの主出力に対応する出力を制限して実行することを特徴とするものである。
【００１７】
請求項３に係る発明は、請求項２に記載の放送受信アプリケーションを含むマルチタスク処理方法において、前記他のアプリケーションは、表示出力を主出力とする電子メール機能を実行する電子メールアプリケーション、ウェブ閲覧機能を実行するウェブアプリケーション、またはゲーム機能を実行するゲームアプリケーションのいずれか一つであることを特徴とするものである。
【００１８】
請求項４に係る発明は、請求項２に記載の放送受信アプリケーションを含むマルチタスク処理方法において、前記他のアプリケーションは、音声出力を主出力とする音楽再生機能を実行する音楽再生アプリケーションまたは通話機能を実行する通話アプリケーションのいずれか一つであることを特徴とするものである。
【００１９】
請求項５に係る発明は、請求項２に記載の放送受信アプリケーションを含むマルチタスク処理方法において、前記他のアプリケーションは、通話機能を実行する通話アプリケーションであり、前記放送受信アプリケーションの実行開始にあたっては、前記通話アプリケーションを、その従出力である表示出力を制限するとともに、通話モードを通常通話モードからハンズフリー通話モードに切り替えて実行し、
前記放送受信アプリケーションは、テレビジョン放送受信アプリケーションで、その音声出力を制限して実行することを特徴とするものである。
【００２０】
請求項６に係る発明は、請求項１乃至５のいずれか一項に記載の放送受信アプリケーションを含むマルチタスク処理方法において、前記予約された放送番組の受信開始を報知するとともに、前記放送受信アプリケーションの実行に先立って、前記制限する表示出力または音声出力を選択することを特徴とするものである。
【００２１】
さらに、上記目的を達成する請求項７に係る発明は、放送番組を受信する放送受信アプリケーションと、前記放送受信アプリケーションとは異なる他のアプリケーションとを同時に実行するマルチタスク処理装置において、
前記放送受信アプリケーションによる放送番組の受信開始を予約する予約手段と、
前記予約手段による前記放送番組の受信開始時に前記他のアプリケーションが実行中か否かを判別する判別手段と、
前記判別手段による判別結果に基づいて、前記他のアプリケーションが実行中にあるときは、前記放送受信アプリケーションにおける表示出力または音声出力のいずれか一方を制限するように、当該放送受信アプリケーションの実行を制御する制御手段とを有することを特徴とするものである。
【００２２】
請求項８に係る発明は、請求項７に記載のマルチタスク処理装置において、前記他のアプリケーションは、表示出力または音声出力のいずれか一方を主出力、他方を従出力とする出力情報を有し、
前記制御手段は、前記他のアプリケーションの前記出力情報に基づいて、前記従出力を制限するように当該他のアプリケーションの実行を制御するとともに、前記他のアプリケーションの前記主出力に対応する出力を制限するように前記放送受信アプリケーションの実行を制御することを特徴とするものである。
【００２３】
請求項９に係る発明は、請求項８に記載のマルチタスク処理装置において、前記他のアプリケーションは、表示出力を主出力とする電子メール機能を実行する電子メールアプリケーション、ウェブ閲覧機能を実行するウェブアプリケーション、またはゲーム機能を実行するゲームアプリケーションのいずれか一つであることを特徴とするものである。
【００２４】
請求項１０に係る発明は、請求項８に記載のマルチタスク処理装置において、前記他のアプリケーションは、音声出力を主出力とする音楽再生機能を実行する音楽再生アプリケーションまたは通話機能を実行する通話アプリケーションのいずれか一つであることを特徴とするものである。
【００２５】
請求項１１に係る発明は、請求項８に記載のマルチタスク処理装置において、前記放送受信アプリケーションは、テレビジョン放送受信アプリケーションであり、
前記他のアプリケーションは、通話機能を実行する通話アプリケーションであり、
前記制御手段は、前記判別手段による判別結果に基づいて、前記通話アプリケーションが実行中にあるときは、前記通話アプリケーションを、その従出力である表示出力を制限するとともに、通話モードを通常通話モードからハンズフリー通話モードに切り替えるように実行を制御し、前記放送受信アプリケーションは、その音声出力を制限するように実行を制御することを特徴とするものである。
【００２６】
請求項１２に係る発明は、請求項７乃至１１のいずれか一項に記載のマルチタスク処理装置において、さらに、前記予約された放送番組の受信開始を報知する報知手段と、前記放送受信アプリケーションの前記制限する表示出力または音声出力を選択する選択手段とを有することを特徴とするものである。
【発明の効果】
【００２７】
本発明によれば、予約された放送番組の受信開始時に、放送受信アプリケーション以外の他のアプリケーションが実行中にあるときは、当該他のアプリケーションを中止させることなく、放送受信アプリケーションの表示出力または音声出力のいずれか一方が制限されて、当該放送受信アプリケーションが実行されるので、簡単な操作で、ユーザに混乱を招くことなく、放送受信アプリケーションを含むマルチタスク処理が可能となる。
【発明を実施するための最良の形態】
【００２８】
以下、本発明の実施の形態について図を参照して説明する。
【００２９】
図１は、本発明の一実施の形態に係るマルチタスク処理装置としての放送受信機能付き携帯端末の外観斜視図である。この放送受信機能付き携帯端末１は、表示部３と、ユーザからの操作を受けるキー部５と、送話器７および受話器９とを有しており、キー部５にはテンキー１１等の他に、表示部３に表示されるソフトキーを操作する等、場面によって機能が変更される操作キー１３，１５，１７が設けられている。
【００３０】
図２は、図１に示す放送受信機能付き携帯端末１の要部の回路構成を示すブロック図である。本実施の形態は、一般的な音声通信機能（通話アプリ）や移動体通信網を利用したデータ通信である電子メール機能（電子メールアプリ）、さらには移動体通信網との移動体通信プロトコルによるデータ通信であるウェブ閲覧機能（ウェブアプリ）の通信機能（通信アプリ）を有する移動体通信端末に、放送局からの地上デジタルのＴＶ放送を視聴するＴＶ受信機能（ＴＶアプリ）を付加したものであり、通信アプリを実現するためのアンテナ２０および移動体通信部２１と、ＴＶアプリを実現するための放送受信アンテナ４０および放送受信部４１と、ユーザとのやり取りを含む全体の動作を制御するマイクロコンピュータからなる制御部５０とを有している。
【００３１】
移動体通信端末としての通信アプリを実現する移動体通信部２１は、分配・混合部２２、送信無線部２３、受信無線部２４、変調部２５、復調部２６、符号化部２７、復号部２８、Ａ／Ｄ変換部２９およびＤ／Ａ変換部３０を有している。
【００３２】
この移動体通信部２１を用いる例えば通話アプリでは、送話器７で電気信号に変換された音声信号が、Ａ／Ｄ変換部２９でデジタル符号列に変換された後、符号化部２７で圧縮符号化されて変調部２５に供給され、ここで電波伝送に適した形に変調され、さらに、送信無線部２３で周波数変換および増幅等が行われた後、分配・混合部２２を経てアンテナ２０から移動体通信基地局に送信されるようになっている。
【００３３】
また、移動体通信基地局から送信された電波は、アンテナ２０で受信されて分配・混合部２２を経て受信無線部２４に供給され、ここで同調および周波数変換等の処理がなされた後、復調部２６に供給されて符号列が取り出される。この符号列は、復号部２８で音声符号に復号された後、Ｄ／Ａ変換部３０で音声電気信号に変換されて、受話器９から音声として送出されるようになっている。
【００３４】
通話アプリ以外の電子メールアプリや、ウェブアプリは、変調部２５および復調部２６と制御部５０とが符号を送受信することで実現するようになっている。
【００３５】
一方、ＴＶアプリでは、放送局からのＴＶ放送電波が放送受信アンテナ４０で受信され、その受信信号が放送受信部４１に供給される。放送受信部４１は、放送無線部４２、復調部４３、映像復号部４４および音声復号部４５を有しており、放送受信アンテナ４０からの受信信号は放送無線部４２で同調および周波数変換等の処理が行われて復調部４３に供給され、ここでデータストリームが取り出されてメディア分離された後、映像が映像復号部４４でデコードされて表示部３に表示され、音声は音声復号部４５でデコードされてスピーカ４６から出力されるようになっている。なお、表示部３は移動体通信端末として使用するときにも共用され、スピーカ４６も移動体通信端末の着信音を発生する場合等にも使用される。
【００３６】
さらに、放送受信機能付き携帯端末１は、電池６１と、この電池６１から各部に供給する電源を制御部５０からの指示に応じて制御する電源制御部６２とを有しているとともに、予約開始時刻に達した旨の音声信号等を生成してスピーカ４６から出力するための音響発生部６３や、マナーモード等において着信等を通知するためのバイブレータ６４を有している。
【００３７】
また、本実施の形態の放送受信機能付き携帯端末１は、上記のアプリの他にも、チャット機能（チャットアプリ）、アドレス帳の作成・編集機能（アドレス帳アプリ）、ゲーム機能（ゲームアプリ）、音楽再生機能（音楽再生アプリ）、静止画や動画の撮影機能（撮影アプリ）等の公知のアプリが搭載されているとともに、通話アプリとして、通常通話、ハンズフリー通話、またはテレビ電話機能（テレビ電話アプリ）が選択可能となっている。
【００３８】
図３は、図２に示す制御部５０の概略構成を示すブロック図である。制御部５０は、予約手段、判別手段、制御手段を構成するもので、プログラムを格納するＲＯＭ５１と、ＲＯＭ５１に格納されたプログラムに従って各種処理を行うＣＰＵ５２と、処理上のデータを保持するＲＡＭ５３と、外部への制御信号線５４を用いて信号を入出力するＩ／Ｏ５５と、現在時刻を保持するＲＴＣ（リアルタイムクロック）５６とを有している。ＲＯＭ５１、ＣＰＵ５２、ＲＡＭ５３およびＩ／Ｏ５５は、バス５７で接続されている。また、ＲＴＣ５６は、ＣＰＵ５２に直接接続されて、ＣＰＵ５２からの時刻読み出しおよび設定に使用されるとともに、指定時刻になった場合に通知等を行う機能を有している。
【００３９】
本実施の形態の放送受信機能付き携帯端末１は、例えば移動体通信のデータ通信機能を用いて放送番組情報サイトに接続することにより、図４に示すような予約したい番組の電子番組情報を選択的にダウンロードして、制御部５０のＲＡＭ５３に、図５に示すような番組予約テーブルを作成できるようになっている。また、この番組予約テーブルは、キー部５の操作により表示部３に表示して、利用者が任意に入力・編集・削除することが可能となっている。なお、図５において、チャネル番号は、予め設定された放送局名・チャネル番号テーブルによって変換される（ここでは、放送局名「ＫＢＳ」がチャネル番号「６２」に変換されている）。
【００４０】
さらに、本実施の形態では、ＴＶアプリと他のアプリとのマルチタスクの可否を含む出力関係を、他のアプリの主たる出力（主出力）に応じて、例えば図６に示すように予め設定して、ＲＡＭ５３に格納する。
【００４１】
図６において、通話アプリは音声出力が主出力であるが、通常通話ではユーザは表示部３を見ることができず、またテレビ電話の場合には画像も主出力となるため、これらの通話モードではＴＶアプリとのマルチタスクは不可としている。これに対し、ハンズフリー通話の場合には、表示部３を見ることは可能であるので、ＴＶアプリは音声出力を制限して映像出力のみとしている。また、撮影アプリでは、表示部３を画像のモニタとして使用することから表示出力が主出力となるので、同時に録音がある場合にはＴＶアプリとのマルチタスクは不可とし、録音がない場合にのみ、ＴＶアプリは映像出力を制限して音声出力のみとしている。また、音楽再生アプリでは、音声出力（オーディオ出力）が主出力となるので、ＴＶアプリは音声出力を制限して映像出力のみとしている。その他の、電子メールアプリ、アドレス帳アプリ、ウェブアプリ、チャットアプリ、ゲームアプリについては、表示部３への表示出力が主出力となるので、これらのアプリの場合にはＴＶアプリは映像出力を制限して音声出力のみとしている。
【００４２】
本実施の形態では、ＲＡＭ５３に番組予約テーブルが作成されたら、ＣＰＵ５２により番組予約テーブルの最も近い開始時刻（図５の場合は、２００４／１／２１ １９：００）をＲＴＣ５６に設定し、その開始時刻に達したら、ＲＴＣ５６からＣＰＵ５２に割り込み信号を供給して予約視聴起動シーケンスを実行する。
【００４３】
以下、この予約視聴起動シーケンスについて、図７に示すフローチャートを参照しながら説明する。
【００４４】
先ず、放送受信機能付き携帯端末１が、既に放送を視聴中か否かを判定する（ステップＳ１１）。その結果、視聴中の場合には、放送無線部４２に指定（予約）チャンネルを設定して（ステップＳ１２）、ＲＴＣ５６に予約終了時刻すなわち放送受信部４１の電源をＯＦＦにする時刻、または次の予約開始時刻のうち早いほうを設定する（ステップＳ１３）。
【００４５】
これに対し、放送視聴中でなければ、制御部５０のＲＡＭ５３に設定されている図６に示したようなマルチタスクの出力関係を参照して現在の状態を判定し（ステップＳ１４）、その判定状態に応じた予約報知画面を表示部３に表示して、ユーザに予約開始時刻を報知する。なお、マナーモードにある場合には、同時にバイブレータ６４も駆動して視聴予約時刻に達した旨を報知する。
【００４６】
ここで、放送受信機能付き携帯端末１が、現在何らのアプリも実行していない待ち受け状態にあると判定された場合には、図８に示すように、表示部３に視聴予約時刻に達した旨、番組名、予約時間を表示するとともに、予約番組を［視聴］するソフトキー７１と、前画面に［戻る］のソフトキー７３を表示して（ステップＳ１５）、対応する操作キー１３，１７の操作によりユーザにいずれか一方を選択させる（ステップＳ１６）。
【００４７】
その結果、操作キー１５の操作により［視聴］が選択された場合には、制御部５０に対して放送受信部４１の電源をＯＮにするように指示し（ステップＳ１７）、電源がＯＮになったら、放送受信部４１の放送無線部４２に指定のチャネルを受信するように同調設定して（ステップＳ１８）、映像復号部４４および音声復号部４５を起動する（ステップＳ１９）。これにより、受信されたＴＶ放送の映像が表示部３に表示されるとともに、音声がスピーカ４６から出力されるようになる。その後は、ステップＳ１３において、ＲＴＣ５６に予約終了時刻すなわち放送受信部４１の電源をＯＦＦにする時刻、または次の予約開始時刻のうち早いほうを設定する。
【００４８】
これに対し、ステップＳ１６において、操作キー１７の操作により［戻る］が選択された場合には、表示部３の表示画面を前画面に再描画して（ステップＳ２０）、ＲＴＣ５６に次の予約開始時刻を設定する（ステップＳ２１）。
【００４９】
一方、ステップＳ１４において、放送受信機能付き携帯端末１が、現在、ＴＶアプリとのマルチタスクが可能なアプリを実行中と判定された場合は、図９に示すように、表示部３に視聴予約時刻に達した旨、番組名、予約時間を表示するとともに、予約番組のみを［視聴］するソフトキー７１と、ＴＶの映像または音声の一方を［ながら］視聴するソフトキー７２と、前画面に［戻る］のソフトキー７３とを表示して（ステップＳ２２）、対応する操作キー１３，１５，１７の操作によりユーザにいずれか一方を選択させる（ステップＳ２３）。
【００５０】
その結果、操作キー１３の操作により［視聴］が選択された場合には、制御部５０に対して現在実行中のアプリをサスペンドするように指示して（ステップＳ２４）、ステップＳ１７に移行し、これによりＴＶアプリのみを実行して予約した放送を視聴する。
【００５１】
これに対し、操作キー１５の操作により［ながら］が選択された場合には、制御部５０に対して放送受信部４１の電源をＯＮにするように指示するとともに（ステップＳ２５）、放送受信部４１の放送無線部４２に指定のチャネルを受信するように同調設定し（ステップＳ２６）、さらに実行中のアプリに対応して映像復号部４４または音声復号部４５を起動させ（ステップＳ２７）、その後、ステップＳ１３において、ＲＴＣ５６に予約終了時刻すなわち放送受信部４１の電源をＯＦＦにする時刻、または次の予約開始時刻のうち早いほうを設定する。
【００５２】
これにより、通話アプリのハンズフリー通話モードや音楽再生の実行中は、映像復号部４４が起動されて予約したＴＶ番組の映像が表示部３に表示されるので、ユーザはＴＶの映像を視ながらの通話や再生音楽の聴取が可能となる。また、電子メールアプリ、アドレス帳アプリ、ウェブアプリ、チャットアプリ、ゲームアプリの実行中は、音声復号部４５が起動されて音声がスピーカ４６から出力されるので、ユーザはＴＶの音声を聴取しながら、実行中のアプリを遂行することが可能となる。
【００５３】
また、ステップＳ２３において、操作キー１７の操作により［戻る］が選択された場合には、ステップＳ２０に移行する。
【００５４】
他方、ステップＳ１４において、放送受信機能付き携帯端末１が、現在、ＴＶアプリとのマルチタスクが不可能なアプリを実行中と判定された場合、例えば図６において通話アプリの通常通話モードやテレビ電話モード、あるいは録音付き撮影アプリの場合には、図１０に示すように、表示部３に視聴予約時刻に達した旨、番組名、予約時間を表示するとともに、前画面に［戻る］のソフトキー７３を表示して（ステップＳ２８）、対応する操作キー１７によりユーザに［戻る］を操作させて、ステップＳ２０に移行する。
【００５５】
このように、本実施の形態においては、予約時刻に達した際に、ユーザが使用しているアプリがＴＶアプリとのマルチタスクが可能な場合にのみ、［ながら］の選択肢を表示するようにしたので、ユーザに混乱を招くことなく、簡単な操作で、使用中のアプリを実行しながら、ＴＶの音声を聴いたり、あるいは映像を視たりすることができる。
【００５６】
なお、本発明は、上記実施の形態にのみ限定されるものではなく、幾多の変更または変形が可能である。例えば、上記実施の形態では、図７のステップＳ１４において、放送受信機能付き携帯端末１が、現在、ＴＶアプリとのマルチタスクが不可能なアプリを実行中と判定された場合には、ＴＶアプリを起動しないようにしたが、実行中のアプリをサスペンドして、ＴＶアプリを起動するようにユーザに選択させることもできる。
【００５７】
また、上記実施の形態では、通話アプリが通常通話モードにあるときは、ＴＶアプリとのマルチタスクを不可としたが、ＴＶアプリの実行開始にあたって、通話アプリの従出力である発信元または着信先電話番号等の表示出力を制限するとともに、通話モードを通常通話モードからハンズフリー通話モードに切り替え、ＴＶアプリは音声出力を制限し、映像出力を表示部３に表示させるようにして、ＴＶの映像を見ながらハンズフリーで通話を行うようにすることもできる。
【００５８】
さらに、上記実施の形態では、放送受信アプリをＴＶアプリとしたが、ラジオアプリの場合でも、本発明を有効に適用することができる。この場合には、ラジオアプリにおけるラジオ周波数やラジオ局名等の表示を制限して、表示出力を主出力とするアプリとのマルチタスクを可能にすればよく、例えば図６の場合には、電子メールアプリ、アドレス帳アプリ、ウェブアプリ、チャットアプリ、ゲームアプリの実行中は、ラジオアプリの表示出力を制限して音声出力のみを起動可能とすることで、ユーザはラジオ放送を聴きながら実行中のアプリを遂行することが可能となる。
【００５９】
また、本発明は上述した放送受信機能付き携帯端末のようなマルチタスク処理装置に限らず、放送受信機能を有する種々の携帯型マルチタスク装置や、据え置き型のマルチタスク処理装置にも同様に適用することができる。
【図面の簡単な説明】
【００６０】
【図１】本発明の一実施の形態に係るマルチタスク処理装置としての放送受信機能付き携帯端末の外観斜視図である。
【図２】図１に示す放送受信機能付き携帯端末の要部の回路構成を示すブロック図である。
【図３】図２に示す制御部の概略構成を示すブロック図である。
【図４】電子番組情報の一例を示す図である。
【図５】番組予約テーブルの一例を示す図である。
【図６】ＴＶアプリと他のアプリとのマルチタスクの出力関係を示す図である。
【図７】予約視聴起動シーケンスを説明するためのフローチャートである。
【図８】待ち受け状態時の予約報知画面の一例を示す図である。
【図９】ＴＶアプリとのマルチタスクが可能なアプリ実行状態時の予約報知画面の一例を示す図である。
【図１０】ＴＶアプリとのマルチタスクが不可能なアプリを実行状態時の予約報知画面の一例を示す図である。
【図１１】従来の予約番組視聴動作を示すフローチャートである。
【図１２】従来の予約報知画面を示す図である。
【符号の説明】
【００６１】
１  放送受信機能付き携帯端末
３  表示部
５  キー部
７  送話器
９  受話器
１１  テンキー１１
１３，１５，１７  操作キー
２０  アンテナ
２１  移動体通信部
４０  放送受信アンテナ
４１  放送受信部
４６  スピーカ
５０  制御部
５１  ＲＯＭ
５２  ＣＰＵ
５３  ＲＡＭ
５５  Ｉ／Ｏ
５６  ＲＴＣ
【図１】
2007202010.tif 000003
【図２】
2007202010.tif 000004
【図３】
2007202010.tif 000005
【図４】
2007202010.tif 000006
【図５】
2007202010.tif 000007
【図６】
2007202010.tif 000008
【図７】
2007202010.tif 000009
【図８】
2007202010.tif 000010
【図９】
2007202010.tif 000011
【図１０】
2007202010.tif 000012
【図１１】
2007202010.tif 000013
【図１２】
2007202010.tif 000014